【手続補正書】
【提出日】平成20年5月29日(2008.5.29)
【手続補正１】
【補正対象書類名】明細書
【補正対象項目名】発明の名称
【補正方法】変更
【補正の内容】
【発明の名称】画像表示装置および画像表示システム
【手続補正２】
【補正対象書類名】明細書
【補正対象項目名】特許請求の範囲
【補正方法】変更
【補正の内容】
【特許請求の範囲】
【請求項１】
画像供給装置から供給された画像を表示する表示手段と、
複数の情報端末機器と接続し、通信を行う通信インターフェース手段と、
前記通信インターフェース手段を介した前記複数の情報端末機器からの前記表示手段の操作を許容するローカル操作許容モードと、前記複数の情報端末機器からの前記表示手段の操作を禁止するローカル操作禁止モードとのいずれかを設定して前記表示手段を制御する制御手段とを有することを特徴とする画像表示装置。
【請求項２】
前記制御手段は、
前記ローカル操作禁止モードにおいて前記表示手段により複数の画像を順次表示している際に、前記通信インターフェース手段を介して前記複数の情報端末機器のうちいずれかから情報を受信した場合には、この受信情報とこの情報を受信したときに表示されていた画像に関する情報とを相互に関連付けて記憶手段に記憶させておき、
前記ローカル操作許容モードにおいて、前記表示手段に、前記複数の画像のサムネイルを一覧表示させるとともに、前記記憶手段に記憶された前記受信情報を前記サムネイルに関連付けて表示させることを特徴とする請求項１に記載の画像表示装置。
【請求項３】
請求項１又は２に記載の画像表示装置と、この画像表示装置に前記通信インターフェース手段を介して接続される前記複数の情報端末機器とを有して構成されることを特徴とする画像表示システム。
【請求項４】
画像供給装置から供給された画像を表示する表示手段と、
複数の情報端末機器と接続し、通信を行う通信インターフェース手段と、
前記表示手段により複数の画像を順次表示している際に、前記通信インターフェース手段を介して前記複数の情報端末機器のうちいずれかから情報を受信した場合には、この受信情報とこの情報を受信したときに表示されていた画像に関する情報とを相互に関連付けて記憶手段に記憶させる第１のモードと、前記表示手段に前記複数の画像のサムネイルを一覧表示させるとともに、前記記憶手段に記憶された前記受信情報を前記サムネイルに関連付けて表示させる第２のモードとのいずれかを設定して前記表示手段を制御する制御手段とを有することを特徴とする画像表示装置。
【請求項５】
請求項４に記載の画像表示装置と、この画像表示装置に前記通信インターフェース手段を介して接続される前記複数の情報端末機器とを有して構成されることを特徴とする画像表示システム。
【手続補正３】
【補正対象書類名】明細書
【補正対象項目名】０００５
【補正方法】変更
【補正の内容】
【０００５】
【課題を解決するための手段】
上記の課題を解消するために、本発明の画像表示装置では、パーソナルコンピュータ、ビデオ、書画カメラ等の画像供給装置から供給された画像を表示する表示手段と、複数の情報端末機器と接続し、通信を行う通信インターフェース手段と、通信インターフェース手段を介した上記複数の情報端末機器からの表示手段の操作を許容するローカル操作許容モードと、上記複数の情報端末機器からの表示手段の操作を禁止するローカル操作禁止モードとのいずれかを設定して表示手段を制御する制御手段とを設けている。
【手続補正４】
【補正対象書類名】明細書
【補正対象項目名】０００８
【補正方法】変更
【補正の内容】
【０００８】
そして、ローカル操作禁止モードにおいて表示手段により複数の画像を順次表示している際に、通信インターフェース手段を介して複数の情報端末機器のうちいずれかから情報（例えば、情報端末機器の識別情報や質問等）を受信した場合には、この受信情報とこの情報を受信したときに表示されていた画像に関する情報（例えば、ファイル名）とを相互に関連付けて記憶手段に記憶させておき、ローカル操作許容モードにおいて、表示手段に、上記複数の画像のサムネイルを一覧表示させるとともに、記憶手段に記憶された受信情報をサムネイルに関連付けて表示させるようにしてもよい。
【手続補正５】
【補正対象書類名】明細書
【補正対象項目名】００１１
【補正方法】変更
【補正の内容】
【００１１】
２．ネットワーク経由での質問を受付け、質問の内容によっては操作を禁止する等、質問事項に応じて質問者に操作権を与える。
【手続補正６】
【補正対象書類名】明細書
【補正対象項目名】００１６
【補正方法】変更
【補正の内容】
【００１６】
本実施形態では、「会議室」内に、ネットワークプロジェクタ（画像表示装置）１０２が設置され、パーソナルコンピュータ、ビデオ、書画カメラ等の画像供給装置１１０から供給されたプレゼンテーション用資料のスライド画像ないしページ画像をスクリーン１０１に拡大投射する。
【手続補正７】
【補正対象書類名】明細書
【補正対象項目名】００２２
【補正方法】変更
【補正の内容】
【００２２】
さらに、プロジェクタ１０２は、後述するローカル操作許容モード（又は第２のモード）において、パソコン１０６が有するグラフィックユーザーインターフェース（GUI）、キーボード等の操作により生成された制御信号に応じて、スクリーン１０１上に表示されたスライド画像の切り換えやこのスライド画像に対するポインタ等の合成を行う。
【手続補正８】
【補正対象書類名】明細書
【補正対象項目名】００２３
【補正方法】変更
【補正の内容】
【００２３】
例えば、プロジェクタ１０２は、ローカル操作許容モード（又は第２のモード）において、図４に示すように、プレゼンテーション後に複数のスライド画像のサムネイルを一覧表示することができる。
【手続補正９】
【補正対象書類名】明細書
【補正対象項目名】００２５
【補正方法】変更
【補正の内容】
【００２５】
そして、上述したようにローカル操作許容モード（又は第２のモード）において、スライド画像のサムネイルを一覧表示する際に、メモリ１０２ｂの記憶内容に基づいて、質問のあったスライド画像のサムネイルに関連付けて聴講者用パソコンのアドレスと質問者名および質問内容を表示する。
【手続補正１０】
【補正対象書類名】明細書
【補正対象項目名】００３０
【補正方法】変更
【補正の内容】
【００３０】
ここで、ステップ２０２では、発表が終了したか否かを判断し（例えば、発表者が発表終了の信号を入力したことを検知するとか最終ページのスライド画像の表示が終了したことを検知して判断する）、終了していないときにはステップ２０３に進み、聴講者からの質問事項を受け付ける。
【手続補正１１】
【補正対象書類名】明細書
【補正対象項目名】００４８
【補正方法】変更
【補正の内容】
【００４８】
また、ローカル操作禁止モード（又は第１のモード）において表示手段により複数の画像を順次表示している際に、通信インターフェース手段を介して複数の情報端末機器のうちいずれかから情報を受信した場合には、この受信情報とこの情報を受信したときに表示されていた画像に関する情報とを相互に関連付けて記憶手段に記憶させておき、ローカル操作許容モード（又は第２のモード）において、表示手段に、上記複数の画像のサムネイルを一覧表示させるとともに、記憶手段に記憶された受信情報をサムネイルに関連付けて表示させるようにすれば、発表終了後の聴講者から質疑応答を受け付ける際等に、発表に使用された複数の画像のサムネイルと質問等のあった場合の質問者（つまりは情報端末機器の識別情報）や質問内容等を一覧表示させることができ、発表者や司会進行者が聴講者の認識度や質問内容を把握でき、適切な質疑応答を行うことができる。